(57)【要約】【課題】  洋式便器に被せて排便に使用でき、被介護者の居室でも排便でき、被介護者が座板に着座している状態でも便容器を取り出すことができる椅子の提供。【解決手段】  洋式便器を包囲するようにして使用する椅子であって、排便孔１０が形成された座板１と、排便孔１０を閉鎖し、座板１の下側に設けられた閉鎖板２と、脚部３ａ，３ｂにある車輪８とを備えた。また、閉鎖板２に凸部２０を設けた。また、便容器５の係止部４を備えた。また、係止部４の導入口４１を後側に設けた。また、座板１を脚部３ａ，３ｂに対して相対移動が可能に、かつ背当て部６と枢着した。また、車輪８の制動部材９と、制動部材９を車輪８に付勢する付勢部材９０と、制動部材９を車輪８から離反させるレバー９２とを備えた。また、回転軸７１により前後方向へ回転可能に枢支されており、縦向きのとき、下端が車輪８よりも下側に位置する足置き板７を備えた。【選択図】        図３
2005058732.tif 000002
【特許請求の範囲】
【請求項１】
洋式便器を包囲するようにして使用する椅子であって、
排便孔が形成された座板と、
前記座板の下側に着脱可能に設けられ、前記排便孔を閉鎖する閉鎖板と、
脚部の下部に設けられた車輪と
を備えることを特徴とする椅子。
【請求項２】
前記閉鎖板は、前記排便孔に嵌合される凸部を一面に設けてあることを特徴とする請求項１に記載の椅子。
【請求項３】
前記座板の前側にて前記閉鎖板を支持する支持部と、前記座板の後側にて前記閉鎖板を前記座板に掛止する掛止部とを備えることを特徴とする請求項１又は２に記載の椅子。
【請求項４】
便容器を前記座板の下側に係止する係止部を更に備えることを特徴とする請求項１乃至３の何れかに記載の椅子。
【請求項５】
前記係止部は、前記便容器を導入して係止するための導入口を前記座板の後側に備えることを特徴とする請求項４に記載の椅子。
【請求項６】
前記係止部は、前記座板の下側で前記座板と略直交する面内にて揺動するアームに枢支され、前記座板に対して上下方向へ相対移動するように構成してあることを特徴とする請求項４又は５に記載の椅子。
【請求項７】
前記係止部は、前記座板の下側で前記座板の後方向下向きに傾斜して設けられた傾斜板に支持され、該傾斜板に沿って前記座板の後方向に引き出すことが可能に構成してあることを特徴とする請求項４又は５に記載の椅子。
【請求項８】
前記係止部に係止される便容器が前記座板の下側に位置するように前記係止部を付勢する付勢手段を更に備えることを特徴とする請求項６又は７に記載の椅子。
【請求項９】
前記座板の後側に設けられた背当て部を更に備え、
前記座板及び背当て部は、前記脚部に対して前後方向への相対移動が可能に構成されており、
前記座板の後部と前記背当て部の下部とを枢着してある
ことを特徴とする請求項１乃至８の何れかに記載の椅子。
【請求項１０】
前記車輪に当接し、前記車輪の回動を制動する制動部材と、
該制動部材を前記車輪に付勢する付勢部材と、
前記制動部材を前記車輪から離反させるレバーと
を更に備えることを特徴とする請求項１乃至９の何れかに記載の椅子。
【請求項１１】
前記制動部材は、後側の車輪に当接しており、
前記レバーは、前記座板の後側に横設された操作部と、該操作部の端部に上端部が連結された連結部とを備え、該連結部の下端部を支点として前後方向へ揺動可能となるように取付けられており、
前記制動部材と前記連結部の下部とを連結しており、前記レバーの前方向又は後方向への揺動に応じて、付勢力に抗して前記制動部材を牽引する牽引部材を備える
ことを特徴とする請求項１０に記載の椅子。
【請求項１２】
回転軸により前後方向へ回動可能に枢支されており、縦向きのとき、回転軸から下端までの高さの寸法が前記回転軸から前記車輪の下端までの高さの寸法より長い足置き板を更に備えることを特徴とする請求項１乃至１１の何れかに記載の椅子。
【発明の詳細な説明】
【技術分野】
【０００１】
本発明は、介護を必要とする被介護者の排便に用いる椅子に関する。
【背景技術】
【０００２】
身体が不自由なために介護を必要とする被介護者の排便に用い、外観が通常の椅子に近似した椅子型便器が従来からある。この椅子型便器は、略矩形をなす座板の下側に、略中央に開口部を有する便座を設けると共に、便を受けるための便容器と、この便容器を収容する箱状の収容部とを便座の下側に設けてあり、また、座板及び便座を、背当て部側の端部に取付けた蝶番にて開閉可能に構成してある（例えば、特許文献１参照。）。
【０００３】
このような椅子型便器を用いて介護者が被介護者を排便させるには、座板の前側を持ち上げて便座を露出させ、被介護者を便座に着座させる。被介護者が排便した後、被介護者を立ち上がらせ、お尻の拭き取り等の処置を行い、被介護者を、例えば、ベッドに移動させる。その後、便座の前側を持ち上げて便容器を取り出し、便を処分する。
【特許文献１】実開平４−３１５９６号公報
【発明の開示】
【発明が解決しようとする課題】
【０００４】
しかしながら、前述の椅子型便器は、被介護者の居室内にて介護者の介護の下での使用を前提にしており、便所内に設置された洋式便器を包囲するようにして使用するという使い方を想定していないため、被介護者が便所内にて椅子型便器を使用して自分一人で排便するということができず、被介護者は、排泄行為が自分一人でできないという精神的な苦痛を覚えるという問題があった。
【０００５】
また、便座に着座して排便を行うためには、座板の前側を持ち上げて便座を露出させる必要があるため、被介護者が座板に着座している場合には、介護者が被介護者を一旦、立ち上がらせる必要があり、介護者及び被介護者に体力的な負担を強いるという問題があった。
【０００６】
さらに、排便後、便容器内の便を処分するためには、便座に着座している被介護者を便座から離れさせなければ便容器を取り出せず、また、被介護者が便座に着座した状態のままでは、お尻の拭き取り等の処置ができないから、被介護者を一旦、立ち上がらせる必要があるため、便の処分が速やかにできず、被介護者の居室に便の臭気が立ちこめるという問題があった。また、被介護者を一旦、立ち上がらせるから、介護者及び被介護者に体力的な負担を強いるという問題もあった。
【０００７】
本発明は、斯かる事情に鑑みてなされたものであり、押して移動ができるように構成することにより、被介護者が座板に着座した状態でも便所まで簡単に移動でき、また、便所内に設置された洋式便器を包囲するようにして使用できるように構成することにより、被介護者が自分一人で便所内にて排便に使用でき、さらに、被介護者が座板に着座した状態でも座板の排便孔を開閉可能に構成することにより、着座した被介護者を一旦、立ち上がらせることがない椅子を提供することを目的とする。
【０００８】
また、便容器を着脱可能に構成することにより被介護者の居室内での排便にも使用できる椅子を提供することを目的とする。
【０００９】
また、被介護者が座板に着座した状態でも便容器を取り出し可能に構成することにより、排便後速やかに便を処分することができると共に、便容器の取り出し部から、座板に着座した被介護者のお尻の拭き取り等の処置ができる椅子を提供することを目的とする。
【００１０】
また、便容器を下方向に移動させることにより、排便後に便容器の取り出しを容易に行うことができると共に、便容器を取り出す場合に座板の排便孔から被介護者のお尻が突出しているときでも、被介護者のお尻と便容器とが干渉せず、お尻に付着した便により便容器が汚れない椅子を提供することを目的とする。
【００１１】
また、座板及び背当て部を可動とすることにより、座板に着座した被介護者のお尻の拭き取り等の処置が更に容易にできる椅子を提供することを目的とする。
【００１２】
また、移動を規制できる構成を備えることにより、不意の外力が作用しても移動しない椅子を提供することを目的とする。
【００１３】
さらに、安定に保つ部材を備えることにより、安全に被介護者を着座させることができる椅子を提供することを目的とする。
【課題を解決するための手段】
【００１４】
第１発明に係る椅子は、洋式便器を包囲するようにして使用する椅子であって、排便孔が形成された座板と、前記座板の下側に着脱可能に設けられ、前記排便孔を閉鎖する閉鎖板と、脚部の下部に設けられた車輪とを備えることを特徴とする。
【００１５】
第１発明においては、被介護者を座板に着座させ、本発明に係る椅子を押せば、脚部の下部に設けられた車輪の転動により、便所まで簡単に移動させることができる。便所に到着後、本発明に係る椅子を便所内の洋式便器を包囲するようにすれば、被介護者は、便所内にて自分一人で排便できる。なお、閉鎖板は、被介護者が座板に着座した状態でも下側から取り外せる。
【００１６】
第２発明に係る椅子は、第１発明おいて、前記閉鎖板は、前記排便孔に嵌合される凸部を一面に設けてあることを特徴とする。
【００１７】
第２発明においては、閉鎖板の一面に設けた凸部を座板の下側から排便孔に嵌め込むことにより排便孔を簡易に閉鎖する。凸部の突出高さを適切に設定すれば、着座面を略面一にできる。
【００１８】
第３発明に係る椅子は、第１発明又は第２発明において、前記座板の前側にて前記閉鎖板を支持する支持部と、前記座板の後側にて前記閉鎖板を前記座板に掛止する掛止部とを備えることを特徴とする。
【００１９】
第３発明においては、座板の後側から座板の下に閉鎖板を差し入れ、座板の前側にて支持部により閉鎖板を支持する。次いで、閉鎖板の後側を持ち上げ、座板の後側にて掛止部により閉鎖板を座板に掛止することにより閉鎖板が座板に取付けられる。
【００２０】
第４発明に係る椅子は、第１発明乃至第３発明の何れかにおいて、便容器を前記座板の下側に係止する係止部を更に備えることを特徴とする。
【００２１】
第４発明においては、座板の下側の係止部に便容器を係止すれば、被介護者の居室内での排便に用いることができる。排便後の便容器は、被介護者を立ち上がらせることなく、座板の下側の係止部から取り外して速やかに後始末が行え、また、便容器を取り外した空間を利用して、脚部の間から被介護者のお尻の拭き取り等の処置を施す。
【００２２】
第５発明に係る椅子は、第４発明において、前記係止部は、前記便容器を導入して係止するための導入口を前記座板の後側に備えることを特徴とする。
【００２３】
第５発明においては、座板の後側に設けた係止部の導入口を利用し、後側の脚部の間を通して便容器の着脱を行う。また、被介護者のお尻の拭き取り等の処置も、後側の脚部の間から行う。
【００２４】
第６発明に係る椅子は、第４発明又は第５発明において、前記係止部は、前記座板の下側で前記座板と略直交する面内にて揺動するアームに枢支され、前記座板に対して上下方向へ相対移動するように構成してあることを特徴とする。
【００２５】
第６発明においては、係止部を座板の下方向に下げるようにした場合、アームが揺動しつつ係止部が座板に対して下方向へ相対移動する。この下方向への相対移動は、係止部がアームに枢支されているため、座板に対する係止部の相対角度を略同一に保持したまま行うことができる。
【００２６】
第７発明に係る椅子は、第４発明又は第５発明において、前記係止部は、前記座板の下側で前記座板の後方向下向きに傾斜して設けられた傾斜板に支持され、該傾斜板に沿って前記座板の後方向に引き出すことが可能に構成してあることを特徴とする。
【００２７】
第７発明においては、係止部は傾斜板に沿って座板の後方向に引き出すことができる。傾斜板は、座板の後方向下向きに傾斜しているから、係止部は、座板の後方向へ引き出されることにより座板に対して下方向へ相対移動する。
【００２８】
第８発明に係る椅子は、第６発明又は第７発明において、前記係止部に係止される便容器が前記座板の下側に位置するように前記係止部を付勢する付勢手段を更に備えることを特徴とする。
【００２９】
第８発明においては、付勢手段は、係止部に係止される便容器が座板の下側に位置するように係止部を付勢する。従って、便容器の取り出しのために座板の下方向又は後方向に移動した係止部が、付勢手段の付勢力により何の操作も要さずに座板の上方向又は前方向に移動する。
【００３０】
第９発明に係る椅子は、第１発明乃至第８発明の何れかにおいて、前記座板の後側に設けられた背当て部を更に備え、前記座板及び背当て部は、前記脚部に対して前後方向への相対移動が可能に構成されており、前記座板の後部と前記背当て部の下部とを枢着してあることを特徴とする。
【００３１】
第９発明においては、座板の後部と背当て部の下部とが枢着されているから、座板を前側へ移動させれば、座板の移動に伴って背当て部の下部が前側へ移動し、しかも、枢着した部分を支点として座板と背当て部との角度が広がるから、背当て部の傾斜が緩くなる。被介護者を着座させた状態において座板を前側へ移動させれば、座板の移動に伴って被介護者の重心が本発明に係る椅子の中央部に移動し、背当て部にもたれた被介護者の上半身が前方上側を向く。また、座板の後部と背当て部の下部とが枢着されているから、この枢着部を支点として座板を回転させるように、座板の前部を上方に持ち上げることができる。
【００３２】
第１０発明に係る椅子は、第１発明乃至第９発明の何れかにおいて、前記車輪に当接し、前記車輪の回動を制動する制動部材と、該制動部材を前記車輪に付勢する付勢部材と、前記制動部材を前記車輪から離反させるレバーとを更に備えることを特徴とする。
【００３３】
第１０発明においては、制動部材が付勢部材により車輪に押し付けられ、車輪は制動部材との摩擦抵抗により制動される。レバーを操作すれば、制動部材は車輪から離反され、車輪は回動自在となる。
【００３４】
第１１発明に係る椅子は、第１０発明において、前記制動部材は、後側の車輪に当接しており、前記レバーは、前記座板の後側に横設された操作部と、該操作部の端部に上端部が連結された連結部とを備え、該連結部の下端部を支点として前後方向へ揺動可能となるように取付けられており、前記制動部材と前記連結部の下部とを連結しており、前記レバーの前方向又は後方向への揺動に応じて、付勢力に抗して前記制動部材を牽引する牽引部材を備えることを特徴とする。
【００３５】
第１１発明においては、操作部に前向き又は後向きの外力を付加すれば、レバーが揺動し、連結部の下部に連結された牽引部材を介して制動部材が牽引され、制動部材が後側の車輪から離反して車輪が回動自在となり、本発明に係る椅子を滑らかに移動させることができる。
【００３６】
第１２発明に係る椅子は、第１発明乃至第１１発明の何れかにおいて、回転軸により前後方向へ回動可能に枢支されており、縦向きのとき、回転軸から下端までの高さの寸法が前記回転軸から前記車輪の下端までの高さの寸法より長い足置き板を更に備えることを特徴とする。
【００３７】
第１２発明においては、足置き板を縦向きにすることにより、足置き板の下端が車輪の下端よりも下側に位置する。これにより、足置き板の下端が接地し、一部の車輪が持ち上げられて床面から離反し、本発明に係る椅子が安定する。
【発明の効果】
【００３８】
第１発明に係る椅子は、閉鎖板を座板の下側に取付けた状態では、通常の椅子として使用できる。また、脚部の下部に車輪が設けられているから、被介護者を座板に着座させた状態でも、押せば車輪が転動し、便所まで簡単に移動できる。また、便所内に設置された洋式便器を包囲するようにして使用することができるから、被介護者を着座させたまま洋式便器を包囲するようにすれば、被介護者が便所内にて自分一人で排便でき、排泄行為が一人でできないという被介護者の精神的な負担を取り除くことができる。さらに、閉鎖板の取り外しが座板の下側からできるから、閉鎖板を取り外すために、座板に着座している被介護者を一旦、立ち上がらせることがなく、介護者及び被介護者に体力的な負担をかけない。
【００３９】
第２発明に係る椅子は、閉鎖板の凸部が座板の排便孔に嵌合されるから、座板の着座面を略面一にすることができ、着座感が良好になる。
【００４０】
第３発明に係る椅子は、座板の前側にて支持部により閉鎖板を支持し、座板の後側にて閉鎖板の後側を持ち上げるようにして閉鎖板を座板に掛止するから、被介護者が座板に着座している場合でも、被介護者の足に妨げられることなく容易に閉鎖板を取付けることができる。また、被介護者のお尻が座板の排便孔から下側に突出している場合でも、閉鎖板の後側を持ち上げるようにすれば、掛止部により閉鎖板を座板に掛止できるから、座板への閉鎖板の取付けが容易に行える。
【００４１】
第４発明に係る椅子は、座板の下側に便容器を係止できるから、便容器を取付ければ、被介護者の居室内での排便に用いることもできる。また、便容器を座板の下側に係止してあるから、係止部から外した便容器を脚部の間を通して取り出すことができる。従って、排便後、被介護者を座板に着座させたままでも便容器を取り出すことができるから、便を速やかに処分することができ、便の臭気が居室内に立ちこめることを抑制できる。また、便容器を取り外せば、座板の下側に空間ができるから、被介護者を座板に着座させたまま、脚部の間からお尻の拭き取り等の処置を施すことができる。従って、拭き取り等の処置を施すために被介護者を立ち上がらせる必要がないから、介護者及び被介護者に体力的な負担をかけない。
【００４２】
第５発明に係る椅子は、後側から便容器を着脱することができるから、便容器の取り外し及びお尻の拭き取り等の処置が後側からできる。この取り外し及び拭き取り等の処置は、座板に着座した被介護者の足に妨げられることなく容易に行える。
【００４３】
第６発明に係る椅子は、係止部を座板の下方向へ下げるようにした場合、アームが揺動しつつ係止部が座板に対して下方向へ移動する。この下方向への移動は、座板と係止部との相対角度を略同一に保持したまま行うことができるから、排便後の便容器を傾けることなく座板に対して下方向へ相対移動できる。この係止部の下方向への相対移動により便容器と座板との間の上下方向における相対距離が広がるから、便容器の取り外しが容易となり、また便容器を取外す場合に座板の排便孔から被介護者のお尻が突出しているときでも、被介護者のお尻と便容器とが干渉することがなく、お尻に付着した便により便容器が汚れることもない。
【００４４】
第７発明に係る椅子は、座板の後方向下向きに傾斜する傾斜板に沿って係止部を座板の後方向に引き出すことができるから、係止部を座板の後方向に引き出すことにより座板と係止部との間の上下方向における相対距離が広がり、座板の排便孔から突出する被介護者のお尻に干渉することなく便容器の取り外しが容易に行え、お尻に付着した便により便容器が汚れることもない。
【００４５】
第８発明に係る椅子は、係止部に係止される便容器が座板の下側に位置するように係止部を付勢手段により付勢するから、便容器の取り外しのために座板の下方向又は後方向に移動させた係止部が付勢手段の付勢力により何の操作も要さずに座板の上方向又は前方向に移動する。また、便の重みにより便容器が座板の下方向又は後方向に移動し、便が便容器の外側に漏出することも防止できる。
【００４６】
第９発明に係る椅子は、座板を前側へ移動させることができる。座板の後部と背当て部の下部とが枢着されているから、座板の移動に伴って背当て部の下部が前側へ移動し、しかも、枢着した部分を支点として座板と背当て部との角度が広がるから、背当て部の傾斜を緩くすることができる。従って、座板に着座し、背当て部にもたれた被介護者の上半身は、座板の移動に伴って前方上側を向く。便座の前側を持ち上げることにより、被介護者のお尻が前側から視認できるから、拭き取り等の処置が更に容易になる。なお、座板の移動に伴って被介護者の重心が本発明に係る椅子の中央部に移動するから、便座の前側を持ち上げても被介護者が本発明に係る椅子ごと後ろに転倒することはない。
【００４７】
第１０発明に係る椅子は、レバーが操作された場合のみ車輪の制動が解除され、レバーが操作されない場合には、常に車輪が制動されている。従って、被介護者が座板に着座した状態において介護者がレバーから手を離した場合には、車輪が制動部材により制動されるから、床面が傾斜していても動き出すことがなく、安全性が高い。
【００４８】
第１１発明に係る椅子は、レバーの操作部に前向き又は後向きの外力を付加することにより車輪の制動を解除して移動できるから、容易に移動できる。また、停止するためにレバーに付加した外力を除けば、車輪が確実に制動される。さらに、レバーを、本発明に係る椅子を押すための手押し部と兼用すれば、移動、停止操作が更に容易になる。
【００４９】
第１２発明に係る椅子は、足置き板を縦向きにすれば、下端が車輪の下端よりも下側になり、足置き板の下端が接地して一部の車輪が床面から離反するから、安定性が高まり、被介護者を座板に安全に着座させることができる。また、足置き板を横向きにすれば、接地していた下端が床面から離反し、床面との接触が車輪のみになるから、滑らかに移動できると共に、着座した被介護者は、足置き板に足を置くことができるから、楽な姿勢にて移動できる。
【発明を実施するための最良の形態】
【００５０】
以下、本発明をその実施の形態を示す図面に基づいて詳述する。
【００５１】
実施の形態１
図１は本発明に係る椅子の側面図、図２は本発明に係る椅子の背面図、図３は、本発明に係る椅子の分解斜視図である。
【００５２】
図において３８は、１枚の前板３０と、２枚の側板３１，３１とによりコの字形に枠組みされた座枠である。この座枠３８は、側板３１，３１の前板３０側の端部に夫々固着された前脚３ａ，３ａと、側板３１，３１の他側端部に夫々固着された後脚３ｂ，３ｂとにより支持されている。後脚３ｂ，３ｂは、座枠３８よりも上方に延長されており、これらの上部間には、上側に支持桟６２、下側に矩形の背板６６が横設されている。また、後脚３ｂ，３ｂの上部には、前方へ向けて、肘乗せ板３３，３３が延設されている。これらの肘乗せ板３３，３３の前部は、下方に延びる支持板３４，３４により側板３１，３１に連絡されている。支持板３４，３４には、肘乗せ板３３，３３から下方へ適宜の寸法だけ離れた位置に係止ピン３６，３６が設けられている。これらの係止ピン３６，３６は、支持板３４，３４の外側から内側へ貫通しており、外側から押し込めば内側に突出し、内側から押し込めば外側に突出する。
【００５３】
座枠３８を構成する側板３１，３１の内側面には、夫々段差３７，３７が設けられている。これらの段差３７，３７の上には、略矩形をなし、座枠３８の大きさに対応した板状の係止部４が、前板３０及び側板３１，３１の上縁部と略面一となるように、着脱可能に載置されている。この係止部４には、後縁部に開口する導入口４１を有し、前縁部の近傍にまで達する切欠き４０が設けられている。この切欠き４０には、後脚３ｂ，３ｂ間、換言すれば、便容器５を導入して係止するための導入口を通過した便容器５が導入され、この便容器５は、係止部４に着脱可能に係止される。便容器５の開口部５０の周縁部には、外側に張り出すように形成されたフランジ５１が設けられており、便容器５の係止部４との係止は、このフランジ５１が係止部４の上面に当接することによりなされている。なお、係止部４の上面は、フランジ５１の厚みに対応して切欠き４０の近傍を一段低くしてある。
【００５４】
係止部４及び座枠３８の上には、座板１が取付けられている。座板１は、座枠３８の大きさに対応した矩形板の略中央に排便孔１０を形成し、この排便孔１０の周縁部の上面をクッションに覆われた着座面１１として構成されている。なお、排便孔１０の大きさは、便容器５の開口部５０の大きさに対応している。
【００５５】
このような座板１と係止部４との間には、閉鎖板２が挟持されている。この閉鎖板２の上面には、排便孔１０の形状及び大きさに対応し、上面がクッションに覆われた凸部２０が設けられており、この凸部２０は、排便孔１０に嵌合され、着座面１１を略面一にする。
【００５６】
座板１の後側には、背当て部６が連結されている。この背当て部６は、矩形の板状をなして長手方向を横方向として配され、座板１側の面がクッションに覆われた背当て板６３と、この背当て板６３の長手方向の両端部夫々に沿うように設けられ下方へ延長された連結体６０，６０とを備えてなり、連結体６０，６０の中途部を支持桟６２に寄り掛かるように当接させてある。背当て板６３の上部には、倒立Ｕ字状をなし、横設された部分の座板１側の面にクッションが設けられた枕６５が連設されている。
【００５７】
背当て部６の連結体６０，６０の下部と座板１の後部とは、夫々連結ピン６４，６４により枢着されている。座板１と背当て部６とは、連結ピン６４，６４を支点として、座板１の前部が背当て部６の上部の方へ向かうように回転することができる。また、座板１は、前後方向への摺動自在とされており、座板１と連結体６０，６０とを枢着した部分の外側には、連結ピン６４，６４を回転軸として夫々ローラ６１，６１が回動自在に取付けられている。これらのローラ６１，６１は、側板３１，３１の後脚３ｂ，３ｂ側の上縁部に沿うように、しかも、開口部を上側にして固着された断面コの字状をなすガイド３２，３２に遊嵌されている。これにより、座板１は、ガイド３２，３２内にて転動するローラ６１，６１の動作範囲において前後方向への摺動自在とされている。
【００５８】
以上のような構成により、本発明に係る椅子は、閉鎖板２が座板１の排便孔１０を閉鎖している状態のときは、通常の椅子として使用できる。なお、本発明に係る椅子を構成する各部品を、例えば、木製とすることにより、本発明に係る椅子は、介護を必要とする被介護者の居室内に置かれても、他の家具と調和して違和感を与えない。
【００５９】
本発明に係る椅子を用いて排便を行うには、座板１の下側から閉鎖板２を取り外し、座板１の上に被介護者を着座させる。なお、閉鎖板２の取り外しは、例えば、座板１の前側を持ち上げ、係止部４との間から前方に引き出すことにより行える。被介護者の排便後、便容器５を係止部４に沿って滑らせるように後ろに引き、後脚３ｂ，３ｂ間を通して後側に取り出し、便容器５内の便を処分する。このような便容器５の取り外しは、被介護者を座板１に着座させた状態のまま行えるから、速やかに便を処分でき、被介護者の居室内に便の臭気が立ちこめるのを抑制できる。また、便容器５の取り外しにより確保された座板１の下側の空間を利用して被介護者のお尻の拭き取り等の処置を容易に施すことができる。このような処置もまた、被介護者を座板１に着座させた状態のまま行えるから、被介護者を立ち上がらせる必要がなく、介護者及び被介護者に体力的な負担をかけない。なお、係止部４も後脚３ｂ，３ｂ間を通して取り外すことができる。係止部４を取り外すことにより、拭き取り等の処置が更に容易にできる。
【００６０】
また、本発明に係る椅子においては、閉鎖板２が座板１の下側に取付けられており、通常の椅子として被介護者が座板１に着座している状態から排便させる場合でも、被介護者を座板１に着座させたまま閉鎖板２を取り外すことができる。
【００６１】
図４は、閉鎖板２の取り外しの手順の説明図である。
【００６２】
まず、図４（ａ）に示したように、座板１を前側へ引き出す。このとき、ローラ６１，６１は、ガイド３２，３２に沿って転動した後、ガイド３２，３２の前側の端部に当接するから、座板１の引き出しは、所定の範囲内に規制されると共に、滑らかに行われる。また、座板１の引き出しに応じて連結体６０，６０の下部が前側へ移動し、しかも、連結ピン６４，６４を支点として座板１と背当て部６との角度が広がるから、背当て部６の傾斜が緩くなる。このとき、連結体６０，６０は、後述するレバー９２の揺動軸６７（図３参照）に当接して支持され、枕６５は、レバー９２の操作部９５（図３参照）に当接し、レバー９２は、枕６５の当接により後方向へ揺動する。
【００６３】
次ぎに、連結ピン６４，６４を支点として座板１の前部を背当て部６の上部の方へ向かうように、座板１の前側を持ち上げれば、座板１と共に前側に引き出されていた閉鎖板２が容易に取り外せる。なお、座板１を、係止ピン３６，３６を越えた位置まで持ち上げれば、係止ピン３６，３６を内側に突出させることにより座板１と背当て部６とは、図４（ｂ）に示すように支持される。この操作は、被介護者が座板１に着座したままでも容易に行える。
【００６４】
前述したように、座板１と背当て部６とを、図４（ｂ）に示すように支持することができるから、排便後、被介護者を着座させたまま、座板１及び背当て部６を図４（ｂ）に示すように支持すれば、被介護者のお尻が前側から視認できるようになり、拭き取り等の処置が更に容易になる。なお、座板１の前側への引き出しに伴い、被介護者の重心が本発明に係る椅子の中央部に移動するから、座板１及び背当て部６を図４（ｂ）に示すように支持するために座板１の前側を持ち上げても、被介護者が本発明に係る椅子ごと後ろに転倒することはない。
【００６５】
以上のように、本発明に係る椅子は、例えば、被介護者の居室内での排便に用いることができる。
【００６６】
また、本発明に係る椅子は、被介護者の居室内だけでなく、便所まで移動し、便所内に設置された洋式便器５５（図５参照）を包囲するようにして使用できるように以下の構成も備えている。
【００６７】
前脚３ａ，３ａ及び後脚３ｂ，３ｂは、前脚３ａ，３ａの下端と後脚３ｂ，３ｂの下端とを連結し、各２つの車輪８，８，…を回動自在に支持する杆状の車輪支持体８０，８０を備えている。車輪８，８，…は、車輪支持体８０，８０の両端部夫々の外側に設けられており、本発明に係る椅子を、比較的弱い外力の付加でも滑らかに移動させることができる。
【００６８】
後脚３ｂ，３ｂには、後脚３ｂ，３ｂの側面に沿うように上下方向に延設された杆状をなす支持部９３，９３と、これらの支持部９３，９３の下端部に連設され、例えば、合成ゴムにより形成された当接部９４，９４とを備える制動部材９，９が夫々固定されている。当接部９４，９４は、夫々後脚３ｂ，３ｂ側の車輪８，８に当接しており、支持部９３，９３には、当接部９４，９４を車輪８，８に向けて付勢するコイルスプリング（付勢部材）９０，９０が夫々外嵌している。また、支持部９３，９３の上端部には、ワイヤ等の牽引部材９１，９１の一端部が夫々連結されている。牽引部材９１，９１の他端部は、座板１の後側に前後方向への揺動自在に取付けられた倒立Ｕ字状をなすレバー９２の連結部９６，９６の下部に夫々連結されている。連結部９６，９６は、上下方向に延設されて杆状をなしており、下端部が、支持桟６２の上側に横設された揺動軸６７に枢着されている。また、連結部９６，９６の上端部間には、杆状をなした操作部９５が横設されている。
【００６９】
このような構成により、本発明に係る椅子は、レバー９２の操作部９５を前方に押せば、牽引部材９１，９１を介して制動部材９，９が牽引され、後側の車輪８，８から制動部材９，９の当接部９４，９４が離反する。これにより、後側の車輪８，８は回動自在となり、本発明に係る椅子を滑らかに移動させることができる。レバー９２の操作部９５から手を離せば、制動部材９，９の当接部９４，９４は、付勢部材９０，９０により後側の車輪８，８に押し付けられ、後側の車輪８，８は、当接部９４，９４との摩擦抵抗により回動を制動される。従って、座板１に被介護者が着座した状態のとき、介護者がレバー９２から手を離しても、後側の車輪８，８が制動部材９，９により制動されるから、床面が傾斜していても、本発明に係る椅子が動き出すことはなく、安全性が高い。
【００７０】
また、本発明に係る椅子の前脚３ａ，３ａ間には、略矩形の板状をなす足置き板７が、足置き面７０を上向きにして取付けられている。この足置き板７は、足置き面７０の後側の一辺から所定距離だけ前側の他辺の方へ離れた位置に回転軸７１が設けられており、前記所定距離は、前側の車輪８，８の下端から前記回転軸７１の位置までの高さの寸法より長くしてある。足置き板７は、回転軸７１により前後方向への回転可能に枢支されている。この足置き板７の回転は、前記他辺が前板３０に当接するまで可能とされており、前記他辺が前板３０に当接している縦向きのとき、足置き板７は、前記他辺が前記一辺よりも後側となるように傾斜している。足置き面７０の前記一辺は、前記他辺が前板３０に当接しているとき、前側の車輪８，８の下端よりも更に下側に位置する。
【００７１】
このような構成により、本発明に係る椅子は、足置き板７を、前記他辺が前板３０に当接するように縦向きにすれば（図４参照）、足置き面７０の一辺が前側の車輪８，８の下端よりも下側に位置するから、前記一辺が床面に接地して前側の車輪８，８が床面から離反し、本発明に係る椅子の安定性が増す。従って、被介護者を本発明に係る椅子に着座させるとき、足置き板７を縦向きにしておけば、本発明に係る椅子は、不意の外力にて移動することがなく、被介護者を座板１に安全に着座させることができる。
【００７２】
図５は、本発明に係る椅子を、便所内の洋式便器５５を包囲するように被せる手順の説明図である。
【００７３】
本発明に係る椅子を便所内にて使用するときは、座板１の前側を持ち上げて閉鎖板２を取り外し、便容器５及び係止部４を取り外した後、被介護者を座板１に着座させ、レバー９２の操作部９５を押して便所まで移動する。便所に到着後、図５（ａ）に示すように、レバー９２を前方に倒した状態にして本発明に係る椅子を後退させるように移動させ、便所内の洋式便器５５が後脚３ｂ，３ｂ間を通過して座板１の下側に位置するようにすれば、本発明に係る椅子は、洋式便器５５を包囲するようにして使用することができる（図５（ｂ））。なお、本発明に係る椅子は、洋式便器５５を包囲するようにして使用するために、座板１の高さを洋式便器５５の高さよりも高くしてあり、しかも、後脚３ｂ，３ｂ間及び前脚３ａ，３ａ間の間隔を洋式便器５５が通過できる寸法としてある。このようにすれば、本発明に係る椅子を、洋式便器５５を包囲するようにして使用することができるから、被介護者は、便所内にて一人で排便することができる。
【００７４】
本発明に係る椅子を用いれば、介護者及び被介護者は体力的な負担がなく、被介護者が便所内にて一人で排便することができる。本発明に係る椅子は、背当て部６及び肘掛け部３５，３５を備えるから、体力が衰えた被介護者であっても、楽な姿勢にて排便することができ、排便に時間を要しても、被介護者に体力的な負担がかからない。
【００７５】
また、被介護者が便所内にて自分一人で排便できるから、排泄行為が一人で出来ないという被介護者の精神的な負担を取り除くことができ、被介護者の生活が快適なものとなる。
【００７６】
さらに、近年の洋式便器５５は、温水シャワーによる洗浄機能及び温風による乾燥機能を備えるものも多いから、このような洗浄・乾燥機能を備える洋式便器５５に本発明に係る椅子を用いれば、排便から排便後の処置までは、被介護者一人でも可能となり、排便後の処置を他人に依存するという被介護者の精神的な負担も取り除くことができる。
【００７７】
実施の形態２
図６は実施の形態２の椅子の分解斜視図であり、図７は実施の形態２の椅子の断面図である。
【００７８】
コの字形をなす座枠３８の上側には、座板１が固着されており、座板１の略中央には、便容器５の開口部５０よりも小さい排便孔１０が貫通形成されている。座板１の下側には、後縁部に開口する導入口４１を有する切欠き４０が設けられた矩形の板状をなす係止部４が、便容器５のフランジ５１の厚さ寸法と略同一の隙間をあけて一面を上側にして配され、係止部４は、左右方向の両側夫々２箇所ずつを、アーム４２，４２，…により支持されている。
【００７９】
アーム４２，４２，…は、下側となる一端部が上側の他端部よりも後側に位置するように配されている。アーム４２，４２，…の一端部は、座枠３８を構成する側板３１，３１の内側面に夫々枢着され、アーム４２，４２，…は、一端部を支点として座板１に略直交する面内にて揺動するように構成されている。アーム４２，４２，…の他端部は、係止部４の左右方向の端面に枢着され、係止部４を後方向へ引き出しつつ下方向へ移動させるようにした場合には、アーム４２，４２，…の揺動を伴いつつ係止部４が座板１との相対角度を略同一に保持したまま座板１に対して下方向へ相対移動するように構成してある。なお、側板３１，３１の内側面には、アーム４２，４２，…の揺動範囲を所定の範囲内に規制するストッパ４３，４３，…が凸設されている。
【００８０】
係止部４の前側の端面と、座枠３８を構成する前板３０の内側面との間には、スプリング（付勢手段）４４が張設され、スプリング４４のばね力により係止部４を前方向上向きに引張り付勢、つまり、係止部４に係止される便容器５が座板１の下側に位置するように係止部４を付勢する構成としてある。
【００８１】
このような構成により、スプリング４４の付勢力に抗して係止部４を後方向へ引き出しつつ下方向へ移動させるようにした場合には、アーム４２，４２，…の揺動を伴いつつ係止部４が座板１との相対角度を略同一に保持したまま座板１に対して下方向へ相対移動する。従って、係止部４に便容器５が係止され、座板１に着座した被介護者が排便した場合に、係止部４を後方向へ引き出しつつ下方向へ移動させることにより、係止部４に係止された便容器５を傾けることなく下方向へ移動させ、座板１と便容器５との間の上下方向における相対距離を広げることができるから、被介護者のお尻が座板１の排便孔１０から突出しているときでも、便容器５を被介護者のお尻に干渉させずに容易に取り外しでき、便容器５の取り外し時に、お尻に付着した便で便容器５を汚すこともない。
【００８２】
また、係止部４をスプリング４４にて前方向上向きに付勢しているから、便容器５の取り外しのために下方向へ移動させた係止部４を、何の操作も要せずにスプリング４４の付勢力にて移動前の位置に戻すことができる。また、スプリング４４による付勢と共に、アーム４２，４２，…の一端部を他端部よりも後側に配したから、被介護者が排便した場合に、便の重みにより便容器５が下方向へ移動し、移動に伴う加速度の作用で便容器５から便が漏出することもない。
【００８３】
さらに、座板１と係止部４との隙間が便容器５のフランジ５１の厚さ寸法と略同一にしてあるから、係止部４に便容器５を係止した場合、便容器５のフランジ５１が座板１の下側面に当接し、座板１に着座した被介護者が放尿したときに座板１と便容器５との間から便容器５の外側に尿が漏出することを防止できる。
【００８４】
前述した係止部４に便容器５を係止しない場合には、座板１に閉鎖板２を取付けることができる。閉鎖板２は、座板１の排便孔１０に嵌合する板状の閉鎖部２１を備えており、座板１の前側に対応する部分に、座板１の前側にて閉鎖板２を支持する板状の支持部２２が閉鎖部２１と略平行に設けられ、座板１の後側に対応する部分に、座板１の後側にて閉鎖板２を座板１に掛止するための環状の金具を有する掛止部２３が設けられている。また、座板１の後側には、フック状の金具であり、掛止部２３に掛止される被掛止部２４が設けられている（図８参照）。
【００８５】
図８は、閉鎖板２が取付けられた座板１の近傍の一部を示す斜視図である。
【００８６】
このような閉鎖板２の座板１への取付けは、以下のようにして行われる。先ず、座板１の後側から、支持部２２を前側とした閉鎖板２を係止部４の下側に差し入れ、支持部２２を係止部４の切欠き４０を通して座板１と係止部４との間に差し込む。次に、閉鎖板２の後側を持ち上げ、閉鎖部２１を係止部４の切欠き４０を通過させて排便孔１０に嵌合する。次いで、掛止部２３を被掛止部２４に掛止することにより閉鎖板２が座板１に取付けられる。
【００８７】
このようにして閉鎖板２を座板１に取付けるから、閉鎖板２の座板１への取付けは、座板１に着座した被介護者の足に妨げられることなく容易に行える。また、被介護者のお尻が座板１の排便孔１０から下側に突出している場合でも、閉鎖板２の後側を持ち上げるようにすれば、掛止部２３を被掛止部２４に掛止できるから容易に閉鎖板２を座板１に取付けることができる。
【００８８】
なお、実施の形態２の椅子の後脚３ｂ，３ｂの上部間には、実施の形態１における支持桟６２及び揺動軸６７の代りに、矩形の板状をなす手押し部６８が横設されている。手押し部６８の両端部夫々には、長手方向を横方向にした略小判形をなす把持孔６９，６９が貫通形成され、実施の形態２の椅子は、把持孔６９，６９を利用して手押し部６８の一部を把持し、手押し部６８を押すことにより移動させるように構成してある。
【００８９】
また、実施の形態１における前側の車輪８，８は、進行方向の変更が可能なキャスター８２，８２とされている。その他の構成及び作用は、前述した実施の形態１と同様のため、対応する構成部材に同一の参照符号を付し、その構成及び作用の説明を省略する。
【００９０】
実施の形態３
図９は、実施の形態３の椅子の分解斜視図であり、図１０は実施の形態３の椅子の断面図である。
【００９１】
座板１の下側には、係止部４が配され、係止部４は、後縁部に開口する導入口４１を有する切欠き４０が設けられた矩形の板状をなす係止板４６を備えている。係止板４６は、座板１の下側面から便容器５のフランジ５１の厚さ寸法と略同一の隙間をあけて一面を上側にして配されている。係止板４６の他面には、左右方向の周縁部夫々に摺動板４７，４７が連設され、摺動板４７，４７の下側の端面は、座板１の後方向下向きに傾斜している。摺動板４７，４７夫々の前側には、断面が略Ｌ字形をなす支持金具４８，４８が固定してある。支持金具４８，４８は、夫々上側の一片が摺動板４７，４７の内側面に沿うように、しかも下側の他片が、摺動板４７，４７の下側の端面から下方向へ所定の隙間を設けて左右方向外向きに突出するように配してある。
【００９２】
座枠３８を構成する側板３１，３１の内側面には、座板１の後方向下向きに傾斜するように延設された傾斜板５２，５２が夫々固着されている。傾斜板５２，５２は、摺動板４７，４７の下側の端面が当接している当接部５３，５３を備え、この当接部５３，５３にて係止部４を支持しており、摺動板４７，４７の前側に固定された支持金具４８，４８の他片は、当接部５３，５３の下側に位置している。座枠３８を構成する前板３０と係止板４６との間には、スプリング４４が張設され、スプリング４４は、係止部４に係止される便容器５が座板１の下側に位置するように係止部４を付勢している。
【００９３】
このような構成により、係止部４をスプリング４４の付勢力に抗して座板１の後方向へ引き出すようにした場合には、係止部４は、座板１との相対角度を略同一に保持したまま傾斜板５２，５２に沿って摺動し、座板１に対して下方向へ相対移動する。係止部４は、座板１の後方向へ摺動することにより後側が傾斜板５２，５２の上から外れ、自重の作用により前側を持ち上げるモーメント力が働いても、支持金具４８，４８の他片が傾斜板５２，５２の当接部５３，５３の下側面に当接して支持するから、傾斜板５２，５２から脱落することがない。
【００９４】
その他の構成及び作用は、前述した実施の形態２と同様のため、対応する構成部材に同一の参照符号を付し、その構成及び作用の説明を省略する。
【００９５】
以上の実施の形態では、本発明に係る椅子を構成する各部品を、例えば、木製としたが、本発明に係る椅子を構成する各部品の材料は木材に限らない。また、閉鎖板２の取り外しを、座板１の前側を持ち上げて下側からするとしたが、閉鎖板２の取り外しは、便容器５及び係止部４を取り外した後、後脚３ｂ，３ｂ間から行ってもよい。さらに、便容器５の着脱及び座板１の下側へ位置させるための洋式便器５５の導入は、後脚３ｂ，３ｂ間から行ったが、便容器５の着脱及び座板１の下側へ位置させるための洋式便器５５の導入は、後脚３ｂ，３ｂ間に限らず、例えば、前脚３ａ及び後脚３ｂ間から行ってもよい。
【００９６】
また、実施の形態２では、閉鎖板２に設けられた掛止部２３を環状の金具を有するようにし、座板１に設けられた被掛止部２４をフック状の金具としたが、掛止部２３及び被掛止部２４の構成は、前述の構成に限らず、互いに掛止できるように構成されていればよい。
【００９７】
また、実施の形態２では、係止部４を付勢する付勢手段にスプリング４４を用いたが、付勢手段は、スプリング４４に限らず、例えばゴム紐でもよく、係止部４に係止される便容器５が座板１の下側に位置するように係止部４を付勢するものであればよい。
【００９８】
以上、本発明に係る椅子の実施の形態について説明したが、本発明に係る椅子の構成は、前述した実施の形態に限らず、本発明の趣旨を逸脱しない範囲にて変更することも可能である。また、本発明に係る椅子は、前述した構成を全て備える必要はなく、一部の構成を削除したものでもよい。
【図面の簡単な説明】
【００９９】
【図１】本発明に係る椅子の側面図である。
【図２】本発明に係る椅子の背面図である。
【図３】本発明に係る椅子の分解斜視図である。
【図４】閉鎖板の取り外しの手順の説明図である。
【図５】便所内の洋式便器を包囲するように被せる手順の説明図である。
【図６】実施の形態の椅子の分解斜視図である。
【図７】実施の形態の椅子の断面図である。
【図８】閉鎖板が取付けられた座板の近傍の一部を示す斜視図である。
【図９】実施の形態の椅子の分解斜視図である。
【図１０】実施の形態の椅子の断面図である。
【符号の説明】
【０１００】
１  座板
２  閉鎖板
３ａ  前脚（脚部）
３ｂ  後脚（脚部）
４  係止部
５  便容器
６  背当て部
７  足置き板
８  車輪
９  制動部材
１０  排便孔
２０  凸部
２２  支持部
２３  掛止部
４１  導入口
４２  アーム
４４  スプリング（付勢手段）
５２  傾斜板
５５  洋式便器
７１  回転軸
９０  コイルスプリング（付勢部材）
９１  牽引部材
９２  レバー
９５  操作部
９６  連結部
【図１】
2005058732.tif 000003
【図２】
2005058732.tif 000004
【図３】
2005058732.tif 000005
【図４】
2005058732.tif 000006
【図５】
2005058732.tif 000007
【図６】
2005058732.tif 000008
【図７】
2005058732.tif 000009
【図８】
2005058732.tif 000010
【図９】
2005058732.tif 000011
【図１０】
2005058732.tif 000012